(57)【要約】【課題】革鞄を長期的に美観を保ち、使い込むことにより一層味がでるものが使い方により減耗等により新品にしなくてはならないことは残念なことでなんとか長期的によい状態で使えないかを課題とする。【解決手段】革鞄に負担を掛けないよう、革鞄の中の荷物を吊るすことにより減耗等美観をそこなうものを減らす方法をとることにし、外部に吊るす枠台を置き、内部に吊るす枠を設置することによって課題を解決する。【選択図】図１
0003139844.tif 000002
【実用新案登録請求の範囲】
【請求項１】
複数個の伸縮自在の部材を繋いで形成する立体的枠体と鞄内部で大きさに合わせて伸縮自在の側板に鞄を吊るす部材とを接合して成る鞄保護装置。
【考案の詳細な説明】
【技術分野】
【０００１】本考案は携帯革鞄の長期良好な状態を美観維持させるための装置に関するものである。
【背景技術】
【０００２】革鞄が生まれて以来長年になるが、作成当時の形態を維持するものはなく、仕事に関るものが貧弱になることは、仕事にも影響すること故、分身たる革鞄を長年維持させることが出来ないかを推察の結果考案するものある。
仕事などで革鞄を新品の状態を長期に維持し使い込んだ味のある革鞄になるための装置を探したが製造、販売では傷んだり貧弱になったらかえればいいという考えが多くそれが売れると考えるのが業界の大勢なので現在も知られていないのが実情である。
【考案の開示】
【考案が解決しようとする課題】
【０００３】部材に木・金属・プラスチック等を使って革鞄が傷む原因は荷物を入れて、その重みを革鞄に加重させているためで荷物を吊るすことで軽減しょうとする装置を提供するものである。
【課題を解決するための手段】
【０００４】革鞄を吊る方法として、革鞄を置く土台と荷物を吊る革鞄内部の装置両方が必要で持ち運びが容易なように小さくなり、重量の少ないものとして革鞄の置く場所により三脚から箱形などで解決するもので、複数個の伸縮自在の部材を繋いで形成する立体的枠体と鞄内部で大きさに合わせて伸縮自在の側板に鞄を吊るす部材とを接合して成る鞄保護装置である。
【考案の効果】
【０００５】日本人本来の物を大切に扱う精神が最近薄れていることが、気になりますがそれがあらゆるところに現れている事実を再考し、確りした物を使うことと同時に、その物に手を加えて丁寧に扱うことも必要と思われる。
多少の手間は、物に対する尊敬と使う時の便利さを享受出来ることを考えるとそれ程の苦痛とは考えられない。これからの時代、丁寧・大切に扱うことは、教育をはじめ現代の日本が課せられている問題の基本にあるものとおもわれる。
革鞄業界においても、長年使われている美観の革鞄が多く見られるとオーダーも含めて活気のある業界になると思慮するものである。
又価値ある物が丁寧に使い込むことで非価値の物との格差を明瞭にすることで品質のよくない物を排除することも出来る。
その上革鞄使う者がいつまでも美観であることは励みにもなり、革鞄に負けない人生になる。
革鞄本来他にない品位ある材質を長年維持することにより味も出て一層の品位が出てくることは疑いのないことと思われる。
【考案の実施するための最良の形態】
【０００６】革鞄を永く使って美観を保てるのは、革鞄に重さの負担をなるべくかけないことだが、その方法として鞄の荷物を吊ることにした。
吊った荷物を鞄内部の側板と部材で受け、部材を枠体に載せるのである。
【実施例】
【０００７】以下添付図面に従って  実施例を説明する。
図１で概略全体像を表示、携帯に便利なように枠体を重ねて使い枠体を重ねた接合部分４のように合わせるため四隅に枠を支える柱２を設置する。
実際使う状態で側板型の伸縮自在の部材９の鞄内部の側板を鞄内部の側板を吊るす部材３で吊るす様子を表示する
図２において側板型の伸縮自在の部材９の伸縮自在の側板を使った鞄の大きさに合わせて鞄内部の側板を吊るす部材３によって鞄の内部の荷物を吊る状態を表示する。
図３は図１の携帯時縮小して運びやすくした状態でパイプ型の伸縮自在の部材８の最小の表示し
図４は枠体に図６を使用したもので、鞄の重さにより選択可能としたもので携帯に軽減させるものとして表示する【０００８】図１０は鞄の荷物が少ない時に使用。枠体の内側板型の伸縮自在の部材９を使い伸縮自在で取り外せるように、側板型の伸縮自在の部材９は鞄内部の側板を吊るす部材３の部材を接合し短時間の場合枠体のまま持ち運び出来る。又側板型の伸縮自在の部材９を分解させ簡単に組立て、同じ９を使って立てかける部材を使って鞄を吊るす図１１として表示する。【０００９】図７は鞄内部の側板を吊るす部材３の部材を取り外すことの出来るようにしたものを表示し鞄を吊る状態の選択を広げるようにしたものである。
図８は鞄の内部の側板との関連を他にわずらわされずに表示さものである。
図９は鞄外形と鞄内部に付けた側板との関わりのわかるものとして表示し、鞄内部の側板を吊るす部材３という部材も付け、後は廻りに枠体に載せるだけの状態を表示したものである。
図１０は携帯として持ちやすく、鞄の大きさ形態等に合わせやすく部材の選択も貴金属も使えるものである。
図１１は図１０に鞄を設置したもので、使い方は場所に応じて変化させることが鞄を保護する。
【産業上の利用可能性】
【００１０】革鞄は丁寧な扱いにより革本来使うことにより味がでてくるが、でるまえに貧弱になり使用に耐えられないものになってしまうのが現実で使い込むことで革の美しさがでることが分かっているだけに残念に思っていたことがこの鞄保護装置によって、傷まなくて、長持ちすれば良質できれいな革鞄が出回る可能性があり非良質なものが使うほど格差がでてわかることで排除される。
【図面の簡単な説明】
【００１１】
【図１】枠体に鞄内部の荷物を吊るす側板を示す立体図である
【図２】鞄内部の側板を示す立体図である
【図３】図３枠体の縮小で木・金属・プラスチック等を使ったパイプ型を示す立体図である
【図４】枠体の縮小で木・金属・プラスチック等を使った側板型を示す立体図である
【図５】伸縮自在のパイプ型でＡは伸びた状態Ｂは縮小の状態の部材を示す立体図である
【図６】伸縮自在の側板型でＡは伸びた状態Ｂは縮小の状態の部材を示す立体図である
【図７】枠体と鞄内部の側板を吊る部材の接合を示す立体図である
【図８】具体的に鞄が鞄内部の側板をつけて示す立体図である
【図９】鞄と枠体と鞄内部に付けた側板を部材で吊るした立体図である。
【図１０】鞄を置き易く、組立易い枠体を示す立体図である。
【図１１】鞄を繋ぎ鞄保護装置を使用した完成を示す立体図である
【符号の説明】
【００１２】１  伸縮自在の枠
２  枠を支える柱
３  鞄内部の側板を吊るす部材
４  枠体を重ねた接合部分
５  鞄内部の側板
６  枠内に鞄を入れ支える部材
７  枠体を支える部材
８  パイプ型の伸縮自在の部材
９  側板型の伸縮自在の部材
１０イ咬合点
１１ロ咬合点
【図１】
0003139844.tif 000003
【図２】
0003139844.tif 000004
【図３】
0003139844.tif 000005
【図４】
0003139844.tif 000006
【図５】
0003139844.tif 000007
【図６】
0003139844.tif 000008
【図７】
0003139844.tif 000009
【図８】
0003139844.tif 000010
【図９】
0003139844.tif 000011
【図１０】
0003139844.tif 000012
【図１１】
0003139844.tif 000013